(57)【要約】【課題】  携帯端末装置毎の動作電流のばらつきや動作状態に依存せず、規定の終止電流で電池の充電を完了することを可能とする。【解決手段】  充電制御回路７によって制御される制御手段５の動作により電池４の充電を制御する充電機能を備えた携帯端末装置において、電池を充電する充電電流を検出する充電電流検出手段８、電池から携帯端末装置の負荷に供給される動作電流を検出する動作電流検出手段１０、動作電流検出手段１０の検出値と所定の終止電流値とを加算した終止電流補正値と、充電電流検出手段８の検出値とを比較して電池の充電完了を検出する充電完了検出手段１１を備え、充電完了検出手段１１の検出結果に基づいて、充電制御回路が電池の充電を制御するようにしたもの。【選択図】図１
2006254560.tif 000002
【特許請求の範囲】
【請求項１】
充電制御回路によって制御される制御手段の動作により電池の充電を制御する充電機能を備えた携帯端末装置において、
前記電池を充電する充電電流を検出する充電電流検出手段、前記電池から携帯端末装置の負荷に供給される動作電流を検出する動作電流検出手段、前記充電電流検出手段および動作電流検出手段の検出値に基づいて、前記電池の充電完了を判断する充電完了検出手段を備え、前記充電完了検出手段の検出結果に基づいて、前記充電制御回路が電池の充電を制御するようにしたことを特徴とする携帯端末装置。
【請求項２】
前記充電完了検出手段は、前記動作電流検出手段の検出値と所定の終止電流値とを加算した終止電流補正値と、前記充電電流検出手段の検出値とを比較して電池の充電完了を検出するようにしたことを特徴とする請求項１に記載の携帯端末装置。
【請求項３】
前記充電完了検出手段は、前記充電電流検出手段の検出値と前記動作電流検出手段の検出値との差と、所定の終止電流値とを比較して電池の充電完了を検出するようにしたことを特徴とする請求項１に記載の携帯端末装置。
【発明の詳細な説明】
【技術分野】
【０００１】
この発明は、携帯電話機のような電池の充電機能を備えた携帯端末装置に関し、特に、端末装置の動作電流のばらつきや動作状態に依存せず、正確に充電終止電流の検出が可能で、電池の過充電や充電不足を防止することのできる携帯端末装置に関するものである。
【背景技術】
【０００２】
電池の充電機能を備えた携帯端末装置において、電池の充電終止（完了）電流を補正する機能を有した従来の携帯端末装置として、たとえば、特開２０００−２４５０７０号公報（以下、特許文献１という。）に示されるものがある。
この特許文献１の従来装置における、充電終止電流を補正する機能は、ＣＰＵが、バックライト機能等がＯＮされているか否かを判断し、バックライト機能等がＯＮしている場合には、その旨を示す信号がＣＰＵから充電制御回路に出力される。
充電制御回路は、端末非動作時の終止電流のしきい値から、予め設定していたバックライトＯＮ時等のしきい値に設定変更し、終止電流判定を行い充電を完了させていた。
【０００３】
【特許文献１】特開２０００−２４５０７０号公報
【発明の開示】
【発明が解決しようとする課題】
【０００４】
従来の携帯端末装置において、充電終止（完了）電流を補正する機能は以上のように構成されているので、予め設定していたバックライト機能等のしきい値には、携帯電話端末毎の動作電流のばらつきは考慮されておらず、したがって、動作電流が少ない携帯電話端末では適切な充電容量に達せず、動作電流が多い携帯電話端末では過充電となる恐れがある。また、バックライトＯＮ以外の様々な動作状態に対してすべてを補正することはできないため、補正されていない動作状態では、過充電となる問題があった。
【０００５】
この発明は上記のような従来の問題点を解消するためになされたもので、端末装置毎の動作電流のばらつきや動作状態に依存せず、正確に充電終止電流の検出が可能で、電池の過充電や充電不足を防止し、適切な充電容量を確保することのできる携帯端末装置を得ることを目的とする。
【課題を解決するための手段】
【０００６】
この発明に係る携帯端末装置は、充電制御回路によって制御される制御手段の動作により電池の充電を制御する充電機能を備えた携帯端末装置において、
電池を充電する充電電流を検出する充電電流検出手段、電池から携帯端末装置の負荷に供給される動作電流を検出する動作電流検出手段、前記充電電流検出手段および動作電流検出手段の検出値に基づいて、前記電池の充電完了を判断する充電完了検出手段を備え、前記充電完了検出手段の検出結果に基づいて、前記充電制御回路が電池の充電を制御するようにしたものである。
【０００７】
また、前記充電完了検出手段は、前記動作電流検出手段の検出値と所定の終止電流値とを加算した終止電流補正値と、前記充電電流検出手段の検出値とを比較して電池の充電完了を検出するようにしたものである。
【０００８】
あるいは、前記充電完了検出手段は、前記充電電流検出手段の検出値と前記動作電流検出手段の検出値との差と、所定の終止電流値とを比較して電池の充電完了を検出するようにしたものである。
【発明の効果】
【０００９】
この発明によれば、電池の充電機能を備えた携帯端末装置において、端末装置毎の動作電流のばらつきや動作状態に依存せず、正確に充電終止電流の検出が可能で、電池の過充電や充電不足を防止し、適切な充電容量を確保することのできる携帯端末装置を得ることができる。
【発明を実施するための最良の形態】
【００１０】
実施の形態１．
この発明の実施の形態１について、図１、図２を参照しながら説明する。
図１は、この発明の実施の形態１の携帯端末装置の主要な構成を示すブロック図、図２は、実施の形態１の制御動作を説明するフローチャートである。
図１において、充電回路部１は、充電制御回路７と、充電電流検出回路８と、電池電圧検出回路９と、動作電流検出回路１０と、充電完了検出回路１１とから構成されている。
充電電流検出回路８は、充電電流検出抵抗１２の両端に接続され、アダプタ６から出力制御スイッチ５を介して流れる電流値を検出する。
また、動作電流検出回路１０は、動作電流検出抵抗１３の両端に接続され、電池４から各デバイス３へ流れる電流値を検出する。電池電圧検出回路９は電池４の電圧を検出する。
【００１１】
充電完了検出回路１１は、充電電流検出回路８、電池電圧検出回路９、動作電流検出回路１０、ＣＰＵ２に接続され、各デバイス３が非動作時には、充電検出回路８で検出した電流値を、所定の終止電流値と比較して、充電の完了を検出する。
充電制御回路７は、充電完了検出回路１１の検出結果に基づいて出力制御スイッチ５の制御を行う。
【００１２】
また、充電完了検出回路１１は、各デバイス３が動作時は、動作電流検出回路１０で検出した電流値を所定の終止電流値に加えた終止電流補正値と、充電電流検出回路８で検出した電流値とを比較して、充電の完了を検出する。
【００１３】
なお、ＣＰＵ２が各デバイス３に動作要求を出すため、動作電流が微小であったり、補正を行いたくない時は、ＣＰＵ２で自動補正の有効／無効を設定することもできる。  
【００１４】
図２は、本発明の実施の形態１の制御動作を説明するフローチャートである。
図１、図２において、携帯電話端末にアダプタ６を接続すると、電池４の充電が開始される（ステップＳ１０１）。
充電時に充電電流検出回路８は、充電電流検出抵抗１２に流れる電流値を検出しており、動作電流検出回路１０は、動作電流検出抵抗１３に流れる電流値を検出している（ステップＳ１０２）。
ＣＰＵ２は、各デバイス３を動作させると同時に、自動補正をするかしないかを選択し、充電完了検出回路１１に通知する（ステップＳ１０３）。  
【００１５】
自動補正をする場合（ステップＳ１０３でＹＥＳ）は、充電電流検出回路８で検出した電流値が、動作電流検出回路１０で検出した電流値と所定の終止電流値を加算した終止電流補正値に到達したか否かを判断する（ステップＳ１０４）。
到達していない場合(ステップＳ１０４でＮＯ)は、引き続きステップＳ１０２以降の動作の処理を行う。
到達している場合（ステップＳ１０４でＹＥＳ）は、充電を完了する（ステップＳ１０６）。
【００１６】
自動補正をしない場合（ステップＳ１０３でＮＯ）は、充電電流検出回路８で検出した電流値が、所定の終止電流値に到達したか否かを判断する（ステップＳ１０５）。
到達していない場合(ステップＳ１０５でＮＯ)は、引き続きステップＳ１０２以降の動作の処理を行う。
到達している場合（ステップＳ１０５でＹＥＳ）は、充電を完了する（ステップＳ１０６）。
【００１７】
以上のように、この発明の実施の形態１によれば、電池の充電を制御する充電機能を備えた携帯端末装置において、電池を充電する充電電流を検出する充電電流検出手段、電池から携帯端末装置の負荷に供給される動作電流を検出する動作電流検出手段、前記動作電流検出手段の検出値と所定の終止電流値とを加算した終止電流補正値と、前記充電電流検出手段の検出値とを比較して電池の充電完了を判断する充電完了検出手段を備え、充電完了検出手段の検出結果に基づいて、電池の充電を制御するよう構成したので、端末装置毎の動作電流のばらつきや動作状態に依存せず、正確に充電終止電流の検出が可能で、電池の過充電や充電不足を防止し、適切な充電容量を確保することのできる携帯端末装置を得ることができる。
【００１８】
実施の形態２．
図３は、この発明の実施の形態２の制御動作を説明するフローチャートである。
この実施の形態２が前記実施の形態１と異なるところは、ステップＳ１０４において、充電完了検出手段が、充電電流検出回路８で検出した電流値から動作電流検出回路１０で検出した電流値を引いた終止電流補正値と、所定の終止電流値を比較して充電の完了を検出するようにした点である。
【００１９】
この実施の形態２のように構成しても、実施の形態１と同様の効果を得る事ができるものである。
【図面の簡単な説明】
【００２０】
【図１】この発明の実施の形態１による携帯端末装置の主要な構成を示すブロック図である。
【図２】この発明の実施の形態１の制御動作を説明するフローチャートである。
【図３】この発明の実施の形態２の制御動作を説明するフローチャートである。
【符号の説明】
【００２１】
１  充電回路部      ２  ＣＰＵ  ３  デバイス
４  電池        ５  出力制御スイッチ    ６  アダプタ
７  充電制御回路    ８  充電電流検出回路    ９  電池電圧検出回路
１０  動作電流検出回路  １１  充電完了検出回路  １２  充電電流検出抵抗
１３  動作電流検出抵抗。
【図１】
2006254560.tif 000003
【図２】
2006254560.tif 000004
【図３】
2006254560.tif 000005